(57)【要約】【課題】色、諧調のみならず透明度を制御することを可能にした液晶表示装置を提供する。【解決手段】表面１ｅ側から入射する特定波長の外光Ｓを反射して画像を表示する反射型液晶パネル１を備えた液晶表示装置Ａにおいて、反射型液晶パネル１の裏面１ｄ側を有色に可変自在なシャッター機構２を設ける。そして、例えば、シャッター機構２によって反射型液晶パネル１の裏面１ｄ側を黒色にすることで反射型液晶パネル１を透過した光Ｓを吸収させ、シャッター機構２で反射型液晶パネル１の裏面１ｄ側の黒色を解除することで光Ｓを透過させる。【選択図】図２
2009294618.tif 000002
【特許請求の範囲】
【請求項１】
表面側から入射する特定波長の外光を反射して画像を表示する反射型液晶パネルを備えた液晶表示装置において、
前記反射型液晶パネルの裏面側を有色に可変自在なシャッター機構が設けられていることを特徴とする液晶表示装置。
【発明の詳細な説明】
【技術分野】
【０００１】
本発明は、反射型液晶パネルを備えた液晶表示装置に関する。
【背景技術】
【０００２】
従来、液晶表示装置には、表面側から入射する特定波長の外光を反射して画像を表示する反射型液晶パネルを備えたものがある。そして、この液晶表示装置においては、反射型液晶パネルを用いることでバックライトが不要になるため、消費電力を大幅に低減することが可能である。また、ＲＧＢ（赤緑青）の三色の特定波長の光（外光）を選択的に反射するように反射型液晶パネルを構成することで、カラー画像の表示を可能にしている。
【０００３】
一方、バックライトが不要になるため、実質的に反射型液晶パネルのみを備えていれば画像を表示することが可能であり、外光を全て透過させて透明にしたり、外光を全て反射させて白色にしたり、透過型液晶パネルや自発光型液晶パネルでは表現できない透明から白色まで自由に色、諧調を制御することが可能になり得る。しかしながら、仮に裏面に何も施していない透明の反射型液晶パネルを使用すると、例えば、表面側から入射した外光の青色の特定波長だけを反射させ、残りの光を透過させるようにしたときに、裏面側から入射した外光も同様に、青色の特定波長だけが反射し、残りの光が透過することになる。このため、反射型液晶パネルの透過率による減衰分だけ白濁するのみで期待する色を表示することができない。また、全ての光を反射させるように制御した場合においても、実質的に全ての光を反射させることが困難であるため、やはり白濁した透明ガラスのように見える。
【０００４】
このように、反射型液晶パネルのみでは、入射した全ての光を制御することができず、また、裏面側からの光を遮断することなく期待の色、諧調を表示することができないため、一般に、反射型液晶パネルを備える液晶表示装置においては、反射型液晶パネルを収容する筐体内部や、反射型液晶パネルの裏面を黒色塗料で塗装したり、黒色シートを貼り付けるなどして、反射型液晶パネルを透過した光を吸収するような措置を施している（例えば、特許文献１参照）。
【特許文献１】特開２００４−３０２２９４号公報
【発明の開示】
【発明が解決しようとする課題】
【０００５】
しかしながら、上記のように反射型液晶パネルを収容する筐体内部や反射型液晶パネルの裏面を黒色塗料で塗装するなどした場合には、反射型液晶パネルの裏面側が常時黒色になるため、色、諧調に加えて透明度を制御することができない。
【０００６】
本発明は、上記事情に鑑み、色、諧調のみならず透明度の制御を可能にした液晶表示装置を提供することを目的とする。
【課題を解決するための手段】
【０００７】
上記の目的を達するために、この発明は以下の手段を提供している。
【０００８】
本発明の液晶表示装置は、表面側から入射する特定波長の外光を反射して画像を表示する反射型液晶パネルを備えた液晶表示装置において、前記反射型液晶パネルの裏面側を有色に可変自在なシャッター機構が設けられていることを特徴とする。
【０００９】
この発明においては、反射型液晶パネルの裏面側を有色に可変自在なシャッター機構が設けられているため、このシャッター機構で反射型液晶パネルの裏面側を例えば黒色（有色）にすることで、反射型液晶パネルを透過した光を吸収して白色から黒色、カラーの有色の画像を表示でき、色、諧調を制御することが可能になる。また、シャッター機構による黒色（有色）の表示を解除し、反射型液晶パネルの裏面側を透明にすることによって、反射型液晶パネルを透過した光をそのまま透過させ、画像の透明度を制御することが可能になる。さらに、反射型液晶パネルの裏面側を黒色に限らず例えば赤色や緑色などの他の有色にするようにシャッター機構を構成した場合には、その色を強調した画像を表示することが可能になる。
【発明の効果】
【００１０】
本発明の液晶表示装置によれば、反射型液晶パネルの裏面側を有色に可変自在なシャッター機構を設けることで、無色（透明）から有色まで、そして白色から黒色まで、色、諧調のみならず透明度まで制御することが可能になる。これにより、透過型液晶パネルや自発光型液晶パネルを備えた液晶表示装置では表現できない画像を創出することが可能になる。
【発明を実施するための最良の形態】
【００１１】
以下、図１及び図２を参照し、本発明の一実施形態に係る液晶表示装置について説明する。本実施形態は、表面側から入射する特定波長の外光を反射して画像を表示する反射型液晶パネルを備えた液晶表示装置に関するものである。
【００１２】
本実施形態の液晶表示装置Ａは、図１に示すように、反射型液晶パネル１とシャッター機構２とを備えて構成されている。反射型液晶パネル１は、カラー液晶パネルであり、ＲＧＢ（赤緑青）の三色の特定波長の光Ｓ（Ｓ１、Ｓ２、Ｓ３）を反射するように、青色液晶層１ａと緑色液晶層１ｂと赤色液晶層１ｃの３層の液晶層を積層して一体形成されている。
【００１３】
また、本実施形態においては、反射型液晶パネル１の裏面１ｄ側にシャッター機構２が設けられている。このシャッター機構２は、反射型液晶パネル１の裏面１ｄに積層した液晶層によって構成され、図２に示すように、液晶層の液晶の配向に応じて反射型液晶パネル１の裏面１ｄ側を透明／黒色（有色）に可変自在に構成されている。
【００１４】
そして、本実施形態の液晶表示装置Ａにおいては、シャッター機構２で反射型液晶パネル１の裏面１ｄ側を黒色にした場合に、例えば青色液晶層１ａで表面１ｅ側から入射した外光Ｓの特定波長の光Ｓ１を反射させ、残りの光Ｓ（Ｓ２、Ｓ３）を透過させるように反射型液晶パネル１を制御すると、透過した光Ｓが黒色のシャッター機構２によって吸収され、青色が表示される。また、青色液晶層１ａと緑色液晶層１ｂと赤色液晶層１ｃの各液晶の配向を適宜制御し、青色液晶層１ａと緑色液晶層１ｂと赤色液晶層１ｃで入射した光Ｓ（Ｓ１、Ｓ２、Ｓ３）を適宜選択的に反射させるとともに、透過した光Ｓ（Ｓ１、Ｓ２、Ｓ３）をシャッター機構２で吸収することによって、表示される色、諧調が制御される。さらに、入射した全ての光Ｓ（Ｓ１、Ｓ２、Ｓ３）を反射させるように各液晶層を制御すると、白色が表示され、全ての光Ｓ（Ｓ１、Ｓ２、Ｓ３）が透過するように制御すると、黒色が表示される。これにより、シャッター機構２で反射型液晶パネル１の裏面１ｄ側を黒色にした場合には、反射型液晶パネル１を透過した光Ｓがシャッター機構２で吸収されることによって、白色から黒色、カラーの有色の画像が色、諧調を好適に制御して表示される。
【００１５】
一方、図２に示すように、液晶の配向を変え、シャッター機構２による黒色（有色）の表示を解除し、反射型液晶パネル１の裏面１ｓ側を透明にすると、反射型液晶パネル１を透過した光Ｓがそのまま透過してゆき、青色液晶層１ａと緑色液晶層１ｂと赤色液晶層１ｃの各液晶の配向に応じ、無色透明から有色透明の画像が透明度を制御して表示される。
【００１６】
したがって、本実施形態の液晶表示装置Ａにおいては、反射型液晶パネル１の裏面１ｄ側を黒色（有色）に可変自在なシャッター機構２を設けられているため、このシャッター機構２で反射型液晶パネル１の裏面１ｄ側を黒色にすることで、反射型液晶パネル１を透過した光Ｓを吸収して白色から黒色、カラーの有色の画像を表示でき、色、諧調を制御することが可能になる。また、シャッター機構２による黒色の表示を解除し、反射型液晶パネル１の裏面側を透明にすることによって、反射型液晶パネル１を透過した光Ｓをそのまま透過させ、画像の透明度を制御することが可能になる。
【００１７】
よって、反射型液晶パネル１の裏面１ｄ側を黒色に可変自在なシャッター機構２を設けることにより、無色から有色まで、そして白色から黒色まで、色、諧調のみならず透明度まで制御することが可能になるため、透過型液晶パネルや自発光型液晶パネルを備えた液晶表示装置では表現できない画像表示を創出することが可能になる。
【００１８】
以上、本発明に係る液晶表示装置の一実施形態について説明したが、本発明は上記の一実施形態に限定されるものではなく、その趣旨を逸脱しない範囲で適宜変更可能である。例えば、本実施形態では、シャッター機構２が反射型液晶パネル１の裏面１ｄ側を黒色に可変自在に構成されているものとしたが、本発明に係るシャッター機構は、反射型液晶パネル１の裏面１ｄ側を黒色に限らず例えば透明／赤色や緑色などの他の有色に可変自在に構成されていてもよい。この場合には、シャッター機構で反射型液晶パネル１の裏面１ｄ側を前記他の有色にすることによって、その色を強調した画像を表示することが可能になる。そして、このように反射型液晶パネル１の裏面１ｄ側を透明／前記他の有色に可変自在なシャッター機構を設けた場合においても、本実施形態と同様に、無色から有色まで、そして白色から黒色まで、色、諧調のみならず透明度まで制御することが可能である。
【００１９】
また、本実施形態では、シャッター機構２が反射型液晶パネル１の裏面１ｄに一体に積層した液晶層であるものとしたが、有機ＥＬをシャッター機構２として反射型液晶パネル１の裏面１ｄ側に設け、この有機ＥＬで反射型液晶パネル１の裏面１ｄ側を透明／有色に可変自在にしてもよい。
【００２０】
さらに、図３に示すように、反射型液晶パネル１の裏面１ｄ側に２枚の偏光板２ａ、２ｂを設けてシャッター機構２を構成し、一方の偏光板２ａの透過軸と他方の偏光板２ｂの透過軸とを平行にすることで反射型液晶パネル１を透過した光Ｓを透過させ、両透過軸を直交させることで反射型液晶パネル１の裏面１ｄ側を有色にするようにしてもよい。
【００２１】
また、例えば反射型液晶パネル１の裏面１ｄ側に、有色のロールカーテンやブラインドを設け、これらロールカーテンやブラインドを上げ下げして、反射型液晶パネル１の裏面１ｄ側を透明／有色に可変自在にしてもよく、ロールカーテンやブランインドなどの物理的に壁となるものをシャッター機構２として設けるようにしてもよい。
【００２２】
そして、これら有機ＥＬ、２枚の偏光板２ａ、２ｂ、ロールカーテンやブラインドなどをシャッター機構２として設けた場合においても、本実施形態と同様の効果を得ることが可能である。
【図面の簡単な説明】
【００２３】
【図１】本発明の一実施形態に係る液晶表示装置を示す図である。
【図２】本発明の一実施形態に係る液晶表示装置のシャッター機構で反射型液晶パネルの裏面側を透明／黒色に変化させた状態を示す図である。
【図３】本発明の一実施形態に係る液晶表示装置の変形例を示す図である。
【符号の説明】
【００２４】
１      反射型液晶パネル
１ａ    青色液晶層
１ｂ    緑色液晶層
１ｃ    赤色液晶層
１ｄ    裏面
１ｅ    表面
２      シャッター機構
２ａ    偏光板
２ｂ    偏光板
Ａ      液晶表示装置
Ｓ      外光（光）
【図１】
2009294618.tif 000003
【図２】
2009294618.tif 000004
【図３】
2009294618.tif 000005